(57)【要約】【課題】  安定的に往復移動するモータ駆動の受動型伸張回復トレーニングマシーンを提供する。【解決手段】  モータ駆動の受動型伸張回復トレーニングマシーンは、底板１０、駆動部２０及びカバー体３０を備える。底板１０は、互いに平行に配置された鋸歯状凹凸部１１を両端に有し、長手方向の上端及び下端の適宜な箇所に第１の切換ピン１２及び第２の切換ピン１３がそれぞれ設けられてある。駆動部２０は、内部に設けられたモータ２１により両端部に向かって延伸された回転軸２２が凸設されてある。回転軸２２の末端部には連動歯車２３が外嵌されてある。駆動部２０の連動歯車２３は、鋸歯状凹凸部１１に噛み合わされる。駆動部２０は、回転軸２２に対して平行に配置された把手部２４を有する。把手部２４には、制御スイッチ２６が設けられてある。【選択図】  図２
0003160847.tif 000002
【実用新案登録請求の範囲】
【請求項１】
底板、駆動部及びカバー体を備えるモータ駆動の受動型伸張回復トレーニングマシーンであって、
前記底板は、互いに平行に配置された鋸歯状凹凸部を両端に有し、長手方向の上端及び下端の適宜な箇所に第１の切換ピン及び第２の切換ピンがそれぞれ設けられ、
前記駆動部は、内部に設けられたモータにより両端部に向かって延伸された回転軸が凸設され、前記回転軸の末端部には連動歯車が外嵌され、前記駆動部の前記連動歯車は、前記鋸歯状凹凸部に噛み合わされ、前記駆動部は、前記回転軸に対して平行に配置された把手部を有し、前記把手部には、制御スイッチが設けられ、前記駆動部は、前記底板の前記第１の切換ピン及び前記第２の切換ピンに対応するように設けられ、前記第１の切換ピン及び前記第２の切換ピンに接触する切換レバーを有し、
前記カバー体は、前記把手部が露出されるスライド口を有し、前記底板の上方に形成され、前記鋸歯状凹凸部及び前記駆動部を覆い、前記把手部は、前記駆動部により駆動され、前記連動歯車と前記鋸歯状凹凸部とが噛み合わされて平行移動し、前記第１の切換ピン又は前記第２の切換ピンに切換スイッチが触れると、前記切換レバーが揺動して前記モータを制御し、回転方向を変えることを特徴とするモータ駆動の受動型伸張回復トレーニングマシーン。
【請求項２】
前記底板の下端部には、前記底板の周囲に環設された滑動阻止（滑り止め）部が設けられていることを特徴とする請求項１に記載のモータ駆動の受動型伸張回復トレーニングマシーン。
【請求項３】
前記底板の下端部には、底面を覆うように平面状に形成された滑動阻止（滑り止め）部が設けられていることを特徴とする請求項１に記載のモータ駆動の受動型伸張回復トレーニングマシーン。
【請求項４】
前記切換スイッチの端部には、電流の方向を変えるときに僅かな遅延を発生させ、前記モータの慣性力を除去して移動行程をさらにスムーズにする遅延装置が設けられていることを特徴とする請求項１に記載のモータ駆動の受動型伸張回復トレーニングマシーン。
【請求項５】
前記駆動部の両側部と、前記連動歯車及び前記把手部との間には凸部が設けられていることを特徴とする請求項１に記載のモータ駆動の受動型伸張回復トレーニングマシーン。
【考案の詳細な説明】
【技術分野】
【０００１】
本考案は、トレーニングマシーンに関するものであり、さらに詳しくは、連動歯車と鋸歯状凹凸部の歯部とを噛み合せて移動させ、第１の切換ピン及び第２の切換ピンに切換スイッチを接触させて往復動作を行い、伸張動作を補助してトレーニング効果を得るモータ駆動の受動型伸張回復トレーニングマシーンに関する。
【背景技術】
【０００２】
図９に示すように、従来の伸張型トレーニングマシーンは、ベース４０、駆動装置５０、カバー６０及び把手部７０から主として構成されたものである。ベース４０は、底部の四隅に設けられた収納孔４１を有する。収納孔４１には、ローラセット４２が枢着され、ベース４０の板面には、２つのアイドルギヤ４３が設けられてある。駆動装置５０には、モータ５１及びベルト５２が備えられてあり、モータ５１は、２つのアイドルギヤ４３の間に配置され、出力端に設けられた歯車５１１を有する。ベルト５２は、ローラセット４２に巻き付けられてある。カバー６０は、ベース４０の上方を覆い、把手部７０が上端に設けられてある。かかるトレーニングマシーンを実際に使用する際は、図１０に示すように、ユーザが跪いて前屈みの姿勢で把手部７０を両手で握り、モータ５１の歯車５１１によりベルト５２を回転させる。ローラセット４２がベルト５２により駆動されると、地面でローラセット４２が転動する。
【０００３】
しかし、かかるトレーニングマシーンは、長期間使用したりユーザの体重が重すぎる場合、モータ５１の端部及びローラセット４２の端部でベルト５２が滑動し、身体を安定させながら伸ばすことができなくなったり、ローラセット４２が地面に直接接触して地面上を転がって滑るなど、トレーニング効果が下がる虞があった。
【考案の開示】
【考案が解決しようとする課題】
【０００４】
本考案の主な目的は、把手部が駆動部のモータにより駆動され、連動歯車と鋸歯状凹凸部の歯部とを噛み合せて移動させると、正確に移動し、大きな圧力にも耐えることができ、カバー体は、底板を覆い、スライド口により駆動部の移動方向を拘束することにより、駆動部が側方で移動することを防ぎ、安定的に移動するモータ駆動の受動型伸張回復トレーニングマシーンを提供することにある。
【０００５】
本考案のもう一つの目的は、底板が滑動阻止（滑り止め）部を介して地面に接触されているため、滑り止め効果を得て、伸張動作を底板の上端で行うため、地面で転がって滑ることを防ぎ、トレーニング動作の距離を制御するモータ駆動の受動型伸張回復トレーニングマシーンを提供することにある。
【課題を解決するための手段】
【０００６】
前記課題を解決するために、本考案によれば、底板、駆動部及びカバー体を備えるモータ駆動の受動型伸張回復トレーニングマシーンであって、前記底板は、互いに平行に配置された鋸歯状凹凸部を両端に有し、長手方向の上端及び下端の適宜な箇所に第１の切換ピン及び第２の切換ピンがそれぞれ設けられ、前記駆動部は、内部に設けられたモータにより両端部に向かって延伸された回転軸が凸設され、前記回転軸の末端部には連動歯車が外嵌され、前記駆動部の前記連動歯車は、前記鋸歯状凹凸部に噛み合わされ、前記駆動部は、前記回転軸に対して平行に配置された把手部を有し、前記把手部には、制御スイッチが設けられ、前記駆動部は、前記底板の前記第１の切換ピン及び前記第２の切換ピンに対応するように設けられ、前記第１の切換ピン及び前記第２の切換ピンに接触する切換レバーを有し、前記カバー体は、前記把手部が露出されるスライド口を有し、前記底板の上方に形成され、前記鋸歯状凹凸部及び前記駆動部を覆い、前記把手部は、前記駆動部により駆動され、前記連動歯車と前記鋸歯状凹凸部とが噛み合わされて平行移動し、前記第１の切換ピン又は前記第２の切換ピンに切換スイッチが触れると、前記切換レバーが揺動して前記モータを制御し、回転方向を変えることを特徴とするモータ駆動の受動型伸張回復トレーニングマシーンが提供される。
【０００７】
本考案において、前記底板の下端部には、前記底板の周囲に環設された滑動阻止（滑り止め）部が設けられていることが好ましい。
【０００８】
本考案において、前記底板の下端部には、底面を覆うように平面状に形成された滑動阻止（滑り止め）部が設けられていることが好ましい。
【０００９】
本考案において、前記切換スイッチの端部には、電流の方向を変えるときに僅かな遅延を発生させ、前記モータの慣性力を除去して移動行程をさらにスムーズにする遅延装置が設けられていることが好ましい。
【００１０】
本考案において、前記駆動部の両側部と、前記連動歯車及び前記把手部との間には凸部が設けられていることが好ましい。
【考案の効果】
【００１１】
本考案のモータ駆動の受動型伸張回復トレーニングマシーンは、以下（１）及び（２）の効果を有する。
（１）把手部を駆動部のモータにより駆動させ、連動歯車と鋸歯状凹凸部の歯部とを噛み合せて移動させると、正確に往復移動させることができ、大きな圧力を受けることができる。カバー体は、底板を覆い、スライド口により駆動部の移動方向を拘束することにより、駆動部が側方で移動することを防ぎ、安定的に移動することができる。
（２）底板が滑動阻止（滑り止め）部により地面に接触しているため、滑り止め効果を得て、伸張動作を底板の上端で行うため、地面で転がって滑ることを防止し、トレーニング動作の距離を制御することができる。
【図面の簡単な説明】
【００１２】
【図１】本考案の一実施形態によるトレーニングマシーンを示す斜視図である。
【図２】本考案の一実施形態によるトレーニングマシーンを示す分解斜視図である。
【図３】本考案の一実施形態によるトレーニングマシーンの把手部を示す断面図である。
【図４】本考案の一実施形態によるトレーニングマシーンが移動するときの状態を示す断面図である。
【図５】本考案の一実施形態による第１の切換ピンに切換スイッチが触れるときの状態を示す模式図である。
【図６】本考案の一実施形態によるトレーニングマシーンの第２の切換ピンに切換スイッチが触れるときの状態を示す模式図である。
【図７】本考案の一実施形態によるトレーニングマシーンの使用状態を示す模式図である。
【図８】本考案の他の実施形態によるトレーニングマシーンの使用状態を示す模式図である。
【図９】従来のトレーニングマシーンを示す断面図である。
【図１０】従来のトレーニングマシーンを使用するときの状態を示す模式図である。
【考案を実施するための最良の形態】
【００１３】
以下、本考案の実施形態について図面に基づいて説明する。なお、これによって本考案が限定されるものではない。
【００１４】
図１及び図２を参照する。図１及び図２に示すように、本考案の一実施形態によるモータ駆動の受動型伸張回復トレーニングマシーンは、底板１０、駆動部２０及びカバー体３０を含む。底板１０は、互いに平行に配置された鋸歯状凹凸部（ギザギザ）１１を両端に有する。底板１０の長手方向の上端及び下端の適宜な箇所には、第１の切換ピン１２及び第２の切換ピン１３がそれぞれ設けられている。底板１０の下端部には、滑動阻止（滑り止め）部１４が設けられている。滑動阻止（滑り止め）部１４は、滑り止め効果が得られるように底板１０の周囲に環設したり、底板１０の底面を覆うように平面状に設けたりしてもよい。
【００１５】
駆動部２０は、内部に設けたモータ２１から両端に向かって延設された回転軸２２が凸設され、回転軸２２の末端部には連動歯車２３が外嵌されている。駆動部２０の連動歯車２３は、鋸歯状凹凸部１１に噛み合わされる。駆動部２０は、回転軸２２に対して平行に配置された把手部２４を有する。把手部２４には、モータ２１の電源を制御するために用いる制御スイッチ２６が設けられている。駆動部２０は、底板１０の第１の切換ピン１２及び第２の切換ピン１３に対応するように設けられた切換スイッチ２７を有する。切換スイッチ２７は、第１の切換ピン１２及び第２の切換ピン１３に接触する切換レバー２７１を有し、駆動部２０の両側部と、連動歯車２３及び把手部２４との間には凸部２８が設けられている。また、モータ２１には、駆動電力を供給する電源線２５が接続されている。
【００１６】
カバー体３０は、把手部２４を露出させるスライド口３１を有し、底板１０の上方に設けられて鋸歯状凹凸部１１及び駆動部２０を覆う。以上を要約すると、把手部２４は、駆動部２０に接続され、連動歯車２３が鋸歯状凹凸部１１に噛み合わされて水平移動し、第１の切換ピン１２又は第２の切換ピン１３に切換スイッチ２７が触れると、切換レバー２７１の揺動によりモータ２１が制御されて回転方向が変化し、トレーニングを補助することができる。
【００１７】
図２及び図３を参照する。図２及び図３に示すように、底板１０の２つの長端には、第１の切換ピン１２及び第２の切換ピン１３がそれぞれ取り付けられている。底板１０の２つの短端には、２つの鋸歯状凹凸部１１が互いに平行に配置されている。駆動部２０のモータ２１は、回転軸２２に接続され、回転軸２２には連動歯車２３が外嵌されている。駆動部２０の両端に設けられた連動歯車２３は、互いに平行に配置された２つの鋸歯状凹凸部１１に噛み合わせることにより、摺動状態に形成され、底板１０をカバー体３０で覆う。カバー体３０のスライド口３１は、駆動部２０に設けられた凸部２８の上端を圧設することにより、駆動部２０の連動歯車２３にカバー体３０が触れることを防ぐことができる上、駆動部２０の摺動可能範囲を拘束し、駆動部２０へ把手部２４を固定し、カバー体３０の外端に把手部２４を配置する。カバー体３０は、スライド口３１に設けられた２つのストッパー（図示せず）の弾性を利用し、スライド口３１を覆い、駆動部２０を摺動させて開く機能を得てもよい。
【００１８】
図２、図４、図５及び図６に示すように、前記の通り構成されたトレーニングマシーンを実際に使用する際は、制御スイッチ２６を押圧すると、駆動部２０のモータ２１により回転軸２２が回転し、鋸歯状凹凸部１１上で連動歯車２３が回転する。即ち、鋸歯状凹凸部１１に沿って連動歯車２３が移動し、駆動部２０により把手部２４が端部に向かって移動し、第１の切換ピン１２に切換スイッチ２７の切換レバー２７１が触れると、第１の切換ピン１２により切換レバー２７１が揺動し、電流方向が切り替わり（例えば、図５に示すように、第１の接点２７２と第２の接点２７３とが導通する）。これによりモータ２１の回転が反転し、駆動部２０が他方の端部に移動する。切換スイッチ２７の切換レバー２７１が第２の切換ピン１３に触れると、切換レバー２７１が揺動してモータ２１の電流方向が再び切り替わり（例えば、図６に示すように、第２の接点２７３と第３の接点２７４とが導通する）、駆動部２０の回転が反転する。このように、第１の切換ピン１２及び第２の切換ピン１３で制御することにより、駆動部２０により把手部２４を往復させることができる。切換スイッチ２７の端部に取り付けた遅延装置（図示せず）により、電流の方向を変えるときに僅かな遅延を発生させ、モータ２１の慣性力を除去して移動行程をよりスムーズにしてもよい。駆動部２０の摺動動作を停止させる場合、制御スイッチ２６を押圧してモータ２１の電源を切断する。
【００１９】
以下、図７に基づいて使用状態をさらに説明する。図７に示すように、底板１０が地面に対して水平に配置されると、底板１０の滑動阻止（滑り止め）部１４により滑り止めの効果が得られ、ユーザは跪いて前屈みの姿勢をとり、両手で把手部２４を握ると、上半身を伸ばして腕、肩、胸及び腰をトレーニングすることができる。そのため、ユーザは、体を伸ばす際に加える力が少なくてすむため、トレーニングを容易に行うことができる。例えば、図８に示すように、本考案の他の実施形態として、椅子の背もたれの上端部に底板１０を結合させ、ユーザが椅子の上に座って両手を挙げ、駆動部２０の両端に設けられた把手部２４を握って駆動部２０を移動させると、把手部２４により両手が引っ張られ、上下方向へ体を伸ばす動作を行うことができる。このように体を伸ばす動作を行うことにより、手、肩及び背中のトレーニングを行い、モータ２１によりトレーニングを補助することにより、操作の難易度を下げることができる。
【００２０】
上述したことから分かるように、本考案のモータ駆動の受動型伸張回復トレーニングマシーンは、以下（１）及び（２）の効果を得ることができる。
（１）把手部２４は、駆動部２０のモータ２１により駆動され、連動歯車２３と鋸歯状凹凸部１１の歯部とを噛み合せて移動させるため、往復移動を正確に行うことができるとともに、大きな圧力に耐えることができる。また、カバー体３０は、底板１０を覆うと、スライド口３１により駆動部２０が側方へ移動しないように移動方向を拘束することができるため、移動が安定し、好ましいトレーニング効果を得ることができる。
（２）底板１０は、滑動阻止（滑り止め）部１４により地面に接触され、滑り止め効果を得ることができるため、底板１０の上端において伸張動作を行い、地面で転がったり滑ったりすることを防ぎ、トレーニング動作の距離を制御することができる。
【００２１】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２２】
１０  底板
１１  鋸歯状凹凸部
１２  第１の切換ピン
１３  第２の切換ピン
１４  滑動阻止（滑り止め）部
２０  駆動部
２１  モータ
２２  回転軸
２３  連動歯車
２４  把手部
２５  電源線
２６  制御スイッチ
２７  切換スイッチ
２８  凸部
３０  カバー体
３１  スライド口
４０  ベース
４１  収納孔
４２  ローラセット
４３  アイドルギヤ
５０  駆動装置
５１  モータ
５２  ベルト
６０  カバー
７０  把手部
２７１  切換レバー
２７２  第１の接点
２７３  第２の接点
２７４  第３の接点
５１１  歯車
【図１】
0003160847.tif 000003
【図２】
0003160847.tif 000004
【図３】
0003160847.tif 000005
【図４】
0003160847.tif 000006
【図５】
0003160847.tif 000007
【図６】
0003160847.tif 000008
【図７】
0003160847.tif 000009
【図８】
0003160847.tif 000010
【図９】
0003160847.tif 000011
【図１０】
0003160847.tif 000012